(57)【要約】      （修正有）【課題】こじり嵌合を確実に防止することが可能なコネクタを提供する。【解決手段】コネクタは、内側フード部１３と、内側フード部１３の外周を覆う外側フード部１２と、内側フード部１３の内側に突出して配置される第１端子金具５０と、内側フード部１３の外側で且つ外側フード部１２の内側に突出して配置される第２端子金具６０と、を備える。外側フード部１２の内側には相手ハウジングが嵌合される。内側フード部１３の先端は、第１端子金具５０及び第２端子金具６０のそれぞれの先端よりも先方に位置している。【選択図】図２
2019003879.tif 000002
【特許請求の範囲】
【請求項１】
内側フード部と、
前記内側フード部の外周を覆う外側フード部と、
前記内側フード部の内側に突出して配置される第１端子金具と、
前記内側フード部の外側で且つ前記外側フード部の内側に突出して配置される第２端子金具と、を備え、
前記外側フード部の内側に相手ハウジングが嵌合されるものであり、
前記内側フード部の先端は、前記第１端子金具及び前記第２端子金具のそれぞれの先端よりも先方に位置していることを特徴とするコネクタ。
【請求項２】
前記内側フード部が、筒状のフード本体と、前記フード本体の先端から部分的に突出するこじり防止片とを有している請求項１記載のコネクタ。
【請求項３】
前記内側フード部が、前記外側フード部の内側中央部に配置されている請求項１又は請求項２記載のコネクタ。
【請求項４】
前記内側フード部及び前記外側フード部が奥側の壁面から突出する形態とされ、前記内側フード部には、相手ハウジングとの誤嵌合を規制するリブが一体に突設され、前記リブが前記壁面と一体に連なる閉塞端を有している請求項１ないし請求項３のいずれか１項記載のコネクタ。
【発明の詳細な説明】
【技術分野】
【０００１】
本発明は、コネクタに関するものである。
【背景技術】
【０００２】
特許文献１の図８には、嵌合凹部を有して矩形箱状に形成された相手側ハウジングと、相手側ハウジングの内側に収容される相手側接続端子及び相手側電源端子とを備えた相手側コネクタが開示されている。相手側ハウジングの嵌合凹部には、コネクタのハウジングが嵌合可能とされている。また、嵌合凹部の内面には、一対の内側ガイド凸部及び後側ガイド凸部が突出して設けられている。このうち、後側ガイド凸部は、同文献の明細書の段落０１１４によれば、相手側コネクタに対するコネクタのこじりを防止する機能を有するとのことである。
【先行技術文献】
【特許文献】
【０００３】
【特許文献１】特許第５７６４５４６号公報（第８図）
【発明の概要】
【発明が解決しようとする課題】
【０００４】
ところで、仮に、多極化によって嵌合凹部の開口径が大きくなると、ハウジングが少し傾くだけでも端子と接触し易くなる。この場合に、後側ガイド凸部のような嵌合凹部の周面部分に設けられる従来のこじり防止用リブでは、ハウジングが端子と接触するのを回避しづらく、こじりを十分に阻止することができないという事情があった。
【０００５】
本発明は上記のような事情に基づいて完成されたものであって、嵌合時におけるこじりを確実に防止することを目的とする。
【課題を解決するための手段】
【０００６】
本発明のコネクタは、内側フード部と、前記内側フード部の外周を覆う外側フード部と、前記内側フード部の内側に突出して配置される第１端子金具と、前記内側フード部の外側で且つ前記外側フード部の内側に突出して配置される第２端子金具と、を備え、前記外側フード部の内側に相手ハウジングが嵌合されるものであり、前記内側フード部の先端は、前記第１端子金具及び前記第２端子金具のそれぞれの先端よりも先方に位置しているところに特徴を有する。
【発明の効果】
【０００７】
相手ハウジングが外側フード部の内側に嵌合される際に、外側フード部に対する相手ハウジングの嵌合姿勢が斜めになっていると、内側フード部の先端に相手ハウジングが干渉してそれ以上の嵌合動作の停止される。この場合に、内側フード部の先端は第１端子金具及び第２端子金具のそれぞれの先端よりも先方に位置しているため、相手ハウジングが第１端子金具及び第２端子金具と接触するのを回避することができる。特に、本発明によれば、外側フード部の内側に内側フード部が配置されているため、外側フード部の周面部分にこじり防止用リブが設けられる従来の場合に比べ、相手ハウジングのこじり嵌合をより確実に防止することができる。しかも、内側フード部が、相手ハウジングのこじり嵌合を防止する機能を有するのに加え、第１端子金具を保護する機能をも有するため、構成の簡素化を図ることができる。
【図面の簡単な説明】
【０００８】
【図１】本発明の実施例１のコネクタにおいて、ハウジングが相手ハウジングと正規嵌合された状態を示す断面図である。
【図２】内側フード部の先端が第１端子金具及び第２端子金具のそれぞれの先端よりも先方に位置する状態を示す断面図である。
【図３】ハウジングの正面図である。
【図４】ハウジングの断面図である。
【図５】相手ハウジングの正面図である。
【図６】相手ハウジングの断面図である。
【発明を実施するための形態】
【０００９】
本発明の好ましい形態を以下に記載する。
前記内側フード部が、筒状のフード本体と、前記フード本体の先端から部分的に突出するこじり防止片とを有しているとよい。本発明によれば、相手ハウジングに内側フード部を受けるための溝部が形成されることになるが、内側フード部の突出寸法が大きくなると、溝部の切り込み深さも大きくなり、相手ハウジングの強度が低下したりスペース上の制約が大きくなる懸念がある。その点、上記構成によれば、こじり防止片がフード本体の先端から部分的に突出する形態になっているため、相手ハウジングにはこじり防止片を受ける部分の周囲に余肉を残すことができ、例えば、相手ハウジングの強度が過剰に低下するのを防止することができる。
【００１０】
前記内側フード部が、前記外側フード部の内側中央部に配置されているとよい。これによれば、相手ハウジングがこじり嵌合時に上下左右いかなる方向に傾いていても、内側フード部と干渉する設定にすることができ、相手ハウジングのこじり嵌合を信頼性良く防止することができる。
【００１１】
前記内側フード部及び前記外側フード部が奥側の壁面から突出する形態とされ、前記内側フード部には、相手ハウジングとの誤嵌合を規制するリブが一体に突設され、前記リブが前記壁面と一体に連なる閉塞端を有しているとよい。これによれば、内側フード部が相手ハウジングの誤嵌合を規制する機能をも有することになる。また、リブが奥側の壁面と一体に連なる閉塞端を有しているため、内側フード部の強度を向上させることができる。
【００１２】
＜実施例１＞
以下、本発明を具体化した実施例１を図１〜図６を参照して説明する。実施例１のコネクタは、ハウジング１０と、リテーナ４０と、第１端子金具５０及び第２端子金具６０とを備えている。ハウジング１０は、相手ハウジング８０に嵌合可能とされている。ハウジング１０、リテーナ４０及び相手ハウジング８０は合成樹脂製であり、第１端子金具５０及び第２端子金具６０は導電金属製である。なお、以下の説明において、前後方向についてはハウジング１０が嵌合開始時に相手ハウジング８０と向き合う面側を前側とし、上下方向は、各図を基準とする。
【００１３】
相手ハウジング８０は、図５及び図６に示すように、略角ブロック状のハウジング本体８１を有している。ハウジング本体８１には、相手端子金具が収容される。相手端子金具は、後述する第１端子金具５０及び第２端子金具６０にそれぞれ接続可能な２種類の端子で構成されている。
【００１４】
図５に示すように、ハウジング本体８１の正面視中央部には、溝部８２が前面に開口して設けられている。溝部８２は、内側に後述する内側フード部１３を嵌合可能とされ、略円筒状の筒部８３の外周に環状に形成されている。筒部８３は、内側に第１端子金具５０に対応した同軸ケーブル用端子９５（図１を参照）を挿入可能とされ、上下端部に、同軸ケーブル用端子９５を係止する一対の相手ランス８４を有している。また、図５に示すように、ハウジング本体８１における溝部８２の左右外側の領域には、複数の相手キャビティ８５が設けられ、各相手キャビティ８５に、第２端子金具６０に対応した端子（前記２種類のうちの残りの１種類）が挿入される。
【００１５】
図６に示すように、ハウジング本体８１には、下面から両側面にかけて開口する相手リテーナ装着孔８６が設けられている。図１に示すように、相手リテーナ装着孔８６には、相手端子金具を抜け止め保持する板状で且つ合成樹脂製の相手リテーナ８７が挿入される。図６に示すように、筒部８３の一部は、相手リテーナ装着孔８６と対応する位置において切り欠かれた形態になっている。また、下側の相手ランス８４はその係止部分が相手リテーナ装着孔８６に臨む位置に配置されている。
【００１６】
ハウジング本体８１における溝部８２と相手リテーナ装着孔８６との間には薄肉の隔壁８８が設けられている。図５に示すように、隔壁８８の左右両側には、溝部８２から相手リテーナ装着孔８６にかけて貫通する一対の挿通孔８９が設けられている。各挿通孔８９には、両ハウジング１０、８０の嵌合時に、後述するこじり防止片２５が挿入される。また、ハウジング本体８１の上面には、撓み可能なロックアーム９１が設けられている。
【００１７】
ハウジング１０は、図３及び図４に示すように、略角ブロック状の端子収容部１１と、端子収容部１１の前面の外周から前方（先方）に突出する略角筒状の外側フード部１２と、端子収容部１１の前面の中央部から前方に突出する略円筒状の内側フード部１３とを有している。
【００１８】
端子収容部１１には、複数のキャビティ１４が前後方向に貫通して設けられている。図３に示すように、各キャビティ１４は、正面から見て内側フード部１３を挟んだ左右両側に整列して配置されている。各キャビティ１４の内壁には、前方へ片持ち状に突出する小型の第２ランス１５が設けられている。
【００１９】
第２端子金具６０は、非シールド型の電線の端部に接続されるものであり、箱状部分（図示せず）を有し、箱状部分の前方にタブ６１（図２を参照）が突出する形態とされている。箱状部分が第２ランス１５に弾性的に係止されることにより、第２端子金具６０がキャビティ１４に抜け止め状態に保持される。
【００２０】
端子収容部１１の正面視中央部には、前後方向に貫通する挿入孔１６が設けられている。挿入孔１６は、内側フード部１３の内側に連通する断面円形をなし、図１に示すように、内側に第１端子金具５０を挿入可能とされている。挿入孔１６の上下端部には、前方へ片持ち状に突出する大型の第１ランス１７が対をなして設けられている。各第１ランス１７は、第１端子金具５０を弾性的に係止可能とされている。各第１ランス１７の先端寄りの位置には、互いに向き合うように突出する係止突起１８が設けられている。各第１ランス１７の先端は、端子収容部１１の前面よりも後方に引っ込んで配置されている。
【００２１】
端子収容部１１には、下面から両側面にかけて開口するリテーナ装着孔１９が設けられている。リテーナ装着孔１９は、各キャビティ１４及び挿入孔１６と連通している。リテーナ装着孔１９には、第１端子金具５０及び第２端子金具６０を抜け止め保持する板状のリテーナ４０が挿入される。図４に示すように、下側の第１ランス１７の係止突起１８は、リテーナ装着孔１９に臨む位置に配置されている。
【００２２】
図１に示すように、第１端子金具５０は、同軸ケーブル５１の端部に接続されるものであって、同軸ケーブル５１のシールド層に接続される外部導体５２を有している。外部導体５２は、断面円形をなし、外周に環状の凹溝５３を有している。各第１ランス１７の係止突起１８が外部導体５２の凹溝５３に弾性的に嵌まり込むことにより、第１端子金具５０が挿入孔１６に抜け止め状態に保持される。
図３に示すように、外側フード部１２の後端部の左右両側には、一対の取付部２１が張り出して設けられている。ハウジング１０は取付部２１を介して図示しない取付対象に固定される。
【００２３】
外側フード部１２の上壁内面における左右中央部で且つ前端部には、爪状のロック部２２が設けられている。図１に示すように、ロック部２２がロックアーム９１の弾性的に係止されることにより、両ハウジング１０、８０が嵌合状態に保持される。図３に示すように、外側フード部１２の上壁内面及び下壁内面には、前後方向に延出する複数の周辺リブ２８が設けられている。上壁及び下壁の各周辺リブ２８は、上下非対称に配置される。
【００２４】
図２及び図３に示すように、内側フード部１３は、端子収容部１１の前面から前方に突出する略円筒状のフード本体２４と、フード本体２４の前端（先端）から部分的に突出する一対のこじり防止片２５とを有している。フード本体２４の内径は、挿入孔１６の内径よりも大きくされている。
【００２５】
図３に示すように、フード本体２４は、上下端部に前後方向に沿った一対のスリット開口２６を有し、各スリット開口２６を挟んだ左右両側に、断面円弧状の周壁部２７が対をなして配置される形態になっている。各第１ランス１７は、各スリット開口２６の後方に位置し、各スリット開口２６を通して前方から目視可能とされている。フード本体２４の左右両端には、対応する周壁部２７から上方へ略垂直に起立する板片状のリブ２３が設けられている。各リブ２３は、フード本体２４の前後方向の全長に延出し、前端が上下方向に沿って切り立つように配置され、後端が端子収容部１１の前面に一体に連なる閉塞端になっている。相手ハウジング８０には、各リブ２３を受けるべく、図５に示すように、溝部８２に連通するリブ受部９２が対をなして設けられている。
【００２６】
各こじり防止片２５は、フード本体２４の左右両側の前端から前方へ突出する板片状の形態とされ、上下方向に関してリブ２３と並列に配置されている。内側フード部１３を正面から見た場合に、各こじり防止片２５と各スリット開口２６とが約９０度の角度差をもって交互に配置されるようになっている。各こじり防止片２５は、フード本体２４の周方向にほぼ沿った断面略弧状をなし、前端が上下方向に沿って切り立つように配置されている。なお、内側フード部１３を含むハウジング１０の全体は、左右中央部の対称軸を中心として左右対称な形状になっている。
【００２７】
本実施例１のコネクタの構造は上記のとおりであり、続いて、作用効果を説明する。
端子収容部１１の各キャビティ１４に第２端子金具６０が挿入されて第２ランス１５で係止されると、各第２端子金具６０のタブ６１が外側フード部１２の内側で且つ内側フード部１３の外側に突出して配置される。このとき、各第２端子金具６０のタブ６１の前端は、外側フード部１２の前端よりも後方で且つ内側フード部１３の前端よりも後方に配置される（図２を参照）。詳細には、各第２端子金具６０のタブ６１の前端は、各こじり防止片２５の前端よりも後方ではあるが、フード本体２４の前端よりも少し前方に配置される。
【００２８】
また、端子収容部１１の挿入孔１６に第１端子金具５０が挿入されて第１ランス１７で係止されると、第１端子金具５０の前部が内側フード部１３の内側の突出して配置される。このとき、第１端子金具５０の前端は、内側フード部１３の前端よりも後方に配置され、詳細には、フード本体２４の前端よりも後方に配置される（図２を参照）。
【００２９】
両ハウジング１０、８０の嵌合時に、相手ハウジング８０がハウジング１０に対して正規の嵌合姿勢から傾いた姿勢をとり、例えば、相手ハウジング８０の左右両端のいずれか一方が他方よりも先に外側フード部１２の内側に進入すると、ハウジング本体８１が内側フード部１３のこじり防止片２５の先端に当接し、相手ハウジング８０のそれ以上の嵌合動作が規制される。ここで、第１端子金具５０の前端及び各第２端子金具６０のタブ６１の前端はこじり防止片２５の前端よりも後方に控えて位置しているため、斜め姿勢の相手ハウジング８０がこじり防止片２５の先端に当接したときに、相手ハウジング８０が第１端子金具５０の前部及び各第２端子金具６０のタブ６１と干渉して変形するのが回避される。言い換えれば、第１端子金具５０及び各第２端子金具６０が相手ハウジング８０によってこじられるのが回避される。
【００３０】
特に、本実施例１の場合、内側フード部１３が、第１端子金具５０と各第２端子金具６０との間で、且つ外側フード部１２の内側、詳細には内側中央部に配置されているため、傾き姿勢の相手ハウジング８０が外側フード部１２の内側に進入したときに、相手ハウジング８０が内側フード部１３のこじり防止片２５と確実に干渉することができ、相手ハウジング８０のこじり嵌合を信頼性良く防止することができる。
【００３１】
また、内側フード部１３が第１端子金具５０の前部の外周を包囲する略筒状の形態であるため、第１端子金具５０の前部が相手ハウジング８０以外の異物とも干渉するのを回避することができる。つまり、内側フード部１３がこじり嵌合を規制する機能と第１端子金具５０を保護する機能とを兼備するため、両機能が専用の部位で実現されるよりも構成を簡素化することができる。
【００３２】
両ハウジング１０、８０が正規嵌合されると、内側フード部１３のフード本体２４が相手ハウジング８０の溝部８２に嵌合状態で挿入されるとともに、各こじり防止片２５が対応する挿通孔８９に嵌合状態で挿入される。この場合に、各こじり防止片２５がフード本体２４の先端から部分的に突出する形態であるため、隔壁８８における挿通孔８９の両側に余肉を残すことができ、溝部８２を支障なく形成することができる。
【００３３】
また、両ハウジング１０、８０が正規嵌合されると、内側フード部１３の各リブ２３が対応するリブ受部９２に嵌合状態で挿入される。これに対し、相手ハウジング８０が正規の嵌合姿勢とは上下逆向きの姿勢をとっていると、各リブ２３がリブ受部９２に対応位置せずハウジング本体８１と干渉し、両ハウジング１０、８０の嵌合動作が規制される。したがって、内側フード部１３が相手ハウジング８０の誤嵌合を規制する機能をも兼備することになる。しかも、各リブ２３が端子収容部１１の前面（奥側の壁面）と一体に連なる閉塞端を有しているため、内側フード部１３の強度を向上させることができる。
【００３４】
＜他の実施例＞
本発明は上記記述及び図面によって説明した上記実施例１に限定されるものではなく、例えば次のような実施例も本発明の技術的範囲に含まれる。
（１）第１端子金具及び第２端子金具は、内側フード部及び外側フード部に対する配置を異にすることで区別されるものであればよく、互いに同種（同一形状を含む）の端子であってもよい。例えば、第１端子金具は、第２端子金具と同様に、シールド機能を有しない電線に接続される通常の雄型端子金具であってもよい。また、第１端子金具は、複数設置されていてもよく、逆に、第２端子金具は、１つだけであってもよい。
（２）内側フード部がこじり防止片を有さず、内側フード部の前端は、例えば、同一の前後位置で周方向に凹凸無く連続する形態とされるものであってもよい。これによれば、内側フード部の前端における任意の部位が傾き姿勢の相手ハウジングと干渉し、相手ハウジングのこじり嵌合を規制することができる。
【符号の説明】
【００３５】
１０…ハウジング
１２…外側フード部
１３…内側フード部
２３…リブ
２４…フード本体
２５…こじり防止片
５０…第１端子金具
６０…第２端子金具
６１…タブ
８０…相手ハウジング
８２…溝部
【図１】
2019003879.tif 000003
【図２】
2019003879.tif 000004
【図３】
2019003879.tif 000005
【図４】
2019003879.tif 000006
【図５】
2019003879.tif 000007
【図６】
2019003879.tif 000008